(57)【特許請求の範囲】
【請求項１】
各々少なくとも一以上の項目のうち任意の項目の設定が可能な複数の機能として、設定項目が着信音量である着信音量設定機能、設定項目が着信音の種類である着信音設定機能、設定項目がメール呼び出し時間であるメール呼び出し時間設定機能、設定項目が表示部のバックライトの照明輝度である表示部バックライト照明輝度設定機能、及び設定項目がキーのバックライトの照明輝度であるキーバックライト照明輝度設定機能のうちの、少なくとも二以上の機能を備え、電池を動作電源とする携帯型通信端末において、
前記複数の機能のそれぞれにおいて、設定可能な各項目毎に、その項目のみが設定されたとしたときの消費電流の平均電流レベル値を予め記憶しており、設定された項目に対応する消費電流の平均電流レベル値を出力する複数の電流レベル値出力手段と、
前記複数の電流レベル値出力手段のうち、使用することとした二以上の機能にそれぞれ対応して設けられた二以上の電流レベル値出力手段から、その機能の設定された項目に対応した前記消費電流の平均電流レベル値が供給されて、それらを合算する合算手段と、
前記合算手段により得られた電流レベル値の合算値を、複数の互いに異なるしきい値と大小比較し、比較判定結果を得る比較判定手段と、
前記比較判定手段により得られた前記比較判定結果を表示する表示手段と
を有することを特徴とする携帯型通信端末。
【請求項２】
前記複数の電流レベル値出力手段のうち、設定項目が着信音の種類である着信音設定機能に対応して設けられた電流レベル値出力手段は、複数の着信音の各種類毎に、その種類の着信音のみが設定されたとしたときの単位時間当たりの平均消費電流を予め記憶しており、設定された種類の着信音に対応する前記単位時間当たりの平均消費電流を、前記着信音設定機能の前記設定された項目に対応する消費電流の平均電流レベル値として出力することを特徴とする請求項１記載の携帯型通信端末。
【請求項３】
前記表示部は、前記比較判定結果を前記電池の残量表示と併せて表示することを特徴とする請求項１又は２記載の携帯型通信端末。
【請求項４】
各々少なくとも一以上の項目のうち任意の項目の設定が可能な複数の機能として、設定項目が着信音量である着信音量設定機能、設定項目が着信音の種類である着信音設定機能、設定項目がメール呼び出し時間であるメール呼び出し時間設定機能、設定項目が表示部のバックライトの照明輝度である表示部バックライト照明輝度設定機能、及び設定項目がキーのバックライトの照明輝度であるキーバックライト照明輝度設定機能のうちの、少なくとも二以上の機能を備え、電池を動作電源とする携帯型通信端末の消費電流表示方法であって、
前記複数の機能のそれぞれにおいて、設定可能な各項目毎に、その項目のみが設定されたとしたときの消費電流の平均電流レベル値を予め記憶しており、前記複数の機能のうち使用することとした二以上の機能のそれぞれの設定された項目に対応する消費電流の平均電流レベル値を出力する第１のステップと、
前記第１のステップにより出力された、使用することとした二以上の機能の設定された項目に対応した前記消費電流の平均電流レベル値が供給されて、それらを合算する第２のステップと、
前記第２のステップにより得られた電流レベル値の合算値を、複数の互いに異なるしきい値と大小比較し、比較判定結果を得る第３のステップと、
前記比較判定結果を表示部に表示する第４のステップと
を含むことを特徴とする携帯型通信端末の消費電流表示方法。
【発明の詳細な説明】
【０００１】
【発明の属する技術分野】
本発明は携帯型通信端末及びその消費電流表示方法に係り、特に着信音量、バイブレータ、ＬＣＤバックライトの照度等の各種機能を有する携帯電話機等の携帯型通信端末及びその消費電流表示方法に関する。
【０００２】
【従来の技術】
現在市販されている携帯電話機は、ＬＣＤ（液晶表示素子）による表示部のカラー化や大画面化、着信音の多彩化に伴い、通話中以外に消費する電流が大きくなってきた。また、携帯電話機は近年、益々多機能化が進み、着信音量、バイブレータ、ＬＣＤバックライトの照度等の設定機能の他、電子メール機能やゲーム機能を有するものもあり、電子メールやゲームを多く行うユーザでは、携帯電話機の電圧源である電池の消耗のペースが早くなり、ユーザにとって使い勝手が悪い。また、通話以外の機能を使用すると、電池消耗により通話不可能になることがある。
【０００３】
そこで、従来より、ユーザに電池（バッテリ）の消耗度合いを正確に視覚的に表示することが行われているが、更にユーザに基本機能である通話機能に最低限必要な電池（バッテリ）の残量を表示する携帯型通信端末も提案されている（特開２０００−３０７６８９号公報）。この従来の携帯型通信端末では、通話機能とそれ以外の付加機能を有するバッテリの残量表示を行う携帯電話装置において、使用可能な機能に応じた表示記号によりバッテリ残量表示する構成である。
【０００４】
【発明が解決しようとする課題】
ところで、携帯型通信装置に備えられた着信音量、バイブレータ、ＬＣＤバックライトの照度等の各種機能の設定に際しては、異なる機能の場合は勿論のこと、同じ機能であっても設定項目の相違により消費電流が相違する。例えば、着信音量という機能において、着信音量大の設定項目と、着信音量小の設定項目とでは、着信音量大の設定項目に設定した方が単位時間当たりの消費電流が大きい。また、ＬＣＤバックライトの照度を明るく設定した方が、暗く設定した場合よりも、単位時間当たりの消費電流が大きい。
【０００５】
しかるに、前述した従来の携帯型通信装置では、通話機能に最低限必要なバッテリの残量と、通話機能以外の付加機能選択時のバッテリの残量を分けて表示するだけであるため、各種の付加機能の各々に応じて、しかも同じ付加機能であってもその設定項目の違いに応じた電流消費量の目安を表示することができず、ユーザに対して、より適切なバッテリ消耗の認識をさせることができない。
【０００６】
本発明は以上の点に鑑みなされたもので、設定項目の違いに応じた電流消費量の目安を表示し得る携帯型通信装置及びその消費電流表示方法を提供することを目的とする。
【０００７】
また、本発明の他の目的は、ユーザに対してより適切なバッテリ消費を認識させ得る携帯型通信装置及びその消費電流表示方法を提供することにある。
【０００８】
【課題を解決するための手段】
上記の目的を達成するため、本発明の携帯型通信端末は、各々少なくとも一以上の項目のうち任意の項目の設定が可能な複数の機能として、設定項目が着信音量である着信音量設定機能、設定項目が着信音の種類である着信音設定機能、設定項目がメール呼び出し時間であるメール呼び出し時間設定機能、設定項目が表示部のバックライトの照明輝度である表示部バックライト照明輝度設定機能、及び設定項目がキーのバックライトの照明輝度であるキーバックライト照明輝度設定機能のうちの、少なくとも二以上の機能を備え、電池を動作電源とする携帯型通信端末において、複数の機能のそれぞれにおいて、複数の機能のそれぞれにおいて、設定可能な各項目毎に、その項目のみが設定されたとしたときの消費電流の平均電流レベル値を予め記憶しており、設定された項目に対応する消費電流の平均電流レベル値を出力する複数の電流レベル値出力手段と、複数の電流レベル値出力手段のうち、使用することとした二以上の機能にそれぞれ対応して設けられた二以上の電流レベル値出力手段から、その機能の設定された項目に対応した消費電流の平均電流レベル値が供給されて、それらを合算する合算手段と、合算手段により得られた電流レベル値の合算値を、複数の互いに異なるしきい値と大小比較し、比較判定結果を得る比較判定手段と、比較判定手段により得られた比較判定結果を表示する表示手段とを有する構成としたものである。
【０００９】
この発明では、複数の機能のうち設定された項目に対応した消費電流の電流レベル値の合算値を、複数の互いに異なるしきい値と大小比較して得られた比較判定結果を表示するようにしたため、同じ機能を設定しても設定された項目によって変化する消費電流の概略値を表示できる。また、単純に消費電流の合算値を表示するのではなく、複数の互いに異なるしきい値と大小比較して得られた比較判定結果を表示するようにしたため、ユーザに分かり易い表示ができる。
【００１１】
また、上記の目的を達成するため、本発明の携帯型通信端末は、複数の電流レベル値出力手段のうち、設定項目が着信音の種類である着信音設定機能に対応して設けられた電流レベル値出力手段は、複数の着信音の各種類毎に、その種類の着信音のみが設定されたとしたときの単位時間当たりの平均消費電流を予め記憶しており、設定された種類の着信音に対応する単位時間当たりの平均消費電流を、着信音設定機能の設定された項目に対応する消費電流の平均電流レベル値として出力することを特徴とする。
【００１２】
更に、本発明の携帯型通信端末は、表示部に、比較判定結果を電池の残量表示と併せて表示することを特徴とする。この発明では、電池の残量表示に基づき電池の消耗が早い理由を、比較判定結果の表示から識別させることができる。
【００１３】
また、上記の目的を達成するため、本発明の携帯型通信端末の消費電流表示方法は、各々少なくとも一以上の項目のうち任意の項目の設定が可能な複数の機能として、設定項目が着信音量である着信音量設定機能、設定項目が着信音の種類である着信音設定機能、設定項目がメール呼び出し時間であるメール呼び出し時間設定機能、設定項目が表示部のバックライトの照明輝度である表示部バックライト照明輝度設定機能、及び設定項目がキーのバックライトの照明輝度であるキーバックライト照明輝度設定機能のうちの、少なくとも二以上の機能を備え、電池を動作電源とする携帯型通信端末の消費電流表示方法であって、複数の機能のそれぞれにおいて、設定可能な各項目毎に、その項目のみが設定されたとしたときの消費電流の平均電流レベル値を予め記憶しており、複数の機能のうち使用することとした二以上の機能のそれぞれの設定された項目に対応する消費電流の平均電流レベル値を出力する第１のステップと、第１のステップにより出力された、使用することとした二以上の機能の設定された項目に対応した消費電流の平均電流レベル値が供給されて、それらを合算する第２のステップと、第２のステップにより得られた電流レベル値の合算値を、複数の互いに異なるしきい値と大小比較し、比較判定結果を得る第３のステップと、比較判定結果を表示部に表示する第４のステップとを含むことを特徴とする。
【００１４】
この発明では、複数の機能のうち設定された項目に対応した消費電流の電流レベル値の合算値を、複数の互いに異なるしきい値と大小比較して得られた比較判定結果を表示するようにしたため、同じ機能を設定しても設定された項目によって変化する消費電流の概略値を表示できる。
【００１５】
【発明の実施の形態】
次に、本発明の実施の形態について図面と共に説明する。図１は本発明になる携帯型通信装置の要部の一実施の形態のブロック図を示す。本実施の形態は携帯電話機に適用した例で、各種機能の設定項目として、着信音量設定１、着信音設定２、メール呼び出し時間設定３、ＬＣＤバックライト照明輝度設定４、キーバックライト照明輝度設定５などがある。これらの設定項目１〜５は、設定値によりその消費電流の電流レベル値６（Ｉ１）〜１０（Ｉ５）が変化する。
【００１６】
上記の電流レベル値Ｉ１〜Ｉ５の各々は、表１に示すように、０〜１０ｍＡのとき「レベル１」、１０〜２０ｍＡのとき「レベル２」、２０〜３０ｍＡのとき「レベル３」、３０〜４０ｍＡのとき「レベル４」、４０〜５０ｍＡのとき「レベル５」、５０〜６０ｍＡのとき「レベル６」として、これらのレベルの中から選択され、決定される。
【００１７】
【表１】
0003914805.tif 000002
選択された全ての機能の電流レベル値は、総合電流レベル判定部１１で合算された後、しきい値と比較判定される。その比較判定結果は、表示部１２に供給されて、電流消費量の目安として表示される。
【００１８】
次に、本実施の形態の動作について、図２を参照して説明する。図２中、図１と同一構成部分には同一符号を付してある。図２では、図１に破線Ａで示した着信音量設定１の機能を例にとり、その動作を説明する。着信音量設定１は着信音量設定＝１（１０１）から着信音量設定＝６（１０６）までの６段階の音量設定が可能であり、その設定値に応じて着信音量が変化する。ここでは、着信音量設定＝１（１０１）の音量が最も小さく、音量設定値が大きくなるほど音量が段階的に大きくなり、着信音量設定＝６（１０６）で音量が最大であるものとする。
【００１９】
また、着信音量設定＝１の設定時に消費する電流のレベル値Ｉ１はレベル１（６１）であり、以下同様に、着信音量設定＝２、３，４、５及び６のそれぞれの消費電流の電流レベル値Ｉ１は、レベル２（６２）、レベル３（６３）、レベル４（６４）、レベル５（６５）及びレベル６（６６）である。電流レベル値６１〜６６は、レベル１（６１）が最も値が小さく、以下段階的にレベルが大きくなり、レベル６（６６）が最も値が大きい。これらの着信音量設定と電流レベル値Ｉ１との関係は予め測定されてメモリに記憶されている。
【００２０】
いま、着信音量設定１に着信音量設定＝５（１０５）が設定されたものとすると、そのときの電流レベル値Ｉ１であるレベル５（６５）の値が総合電流レベル判定部１１に入力される。一方、着信音量設定１以外の他の機能として、図１に示した着信音設定２、メール呼び出し時間設定３、ＬＣＤバックライト照明輝度設定４、キーバックライト照明輝度設定５その他があるが、ここでは着信音設定２、メール呼び出し時間設定３及びＬＣＤバックライト照明輝度設定４がそれぞれ設定されているものとする。
【００２１】
ここで、上記の着信音設定２の設定項目に応じた電流レベル値Ｉ２がレベルＸ、メール呼び出し時間設定３の設定項目に応じた電流レベル値Ｉ３がレベルＹ、ＬＣＤバックライト照明輝度設定４の設定項目に応じた電流レベル値Ｉ４がレベルＺであるものとすると、これらのレベルの電流値も総合電流レベル判定部１１に入力される。なお、上記の着信音設定２では、複数の着信音の種類のそれぞれについて、単位時間当たりの平均消費電流を測定し、それを選択した着信音の種類の消費電流レベル値としている。
【００２２】
総合電流レベル判定部１１では、上記の着信音量設定＝５の電流レベル値Ｉ１のレベル５（６５）の値と、上記の着信音設定のレベルＸ、メール読み出し時間設定のレベルＹ及びＬＣＤバックライト照明輝度設定のレベルＺの各電流レベル値とを合算し（ステップ１１１）、それらの合算値Ｇをしきい値Ｍ、Ｎ（ただし、Ｍ＞Ｎ）と大小比較し（ステップ１１２）、その比較結果を表示部１２へ出力する。
【００２３】
ここで、総合電流レベル判定部１１は、上記の大小比較により、合算値Ｇが大なる方の第１のしきい値Ｍ以上（Ｇ≧Ｍ）の大レベルのときには、レベルＡの比較結果を出力し、合算値Ｇが第１のしきい値Ｍ未満で、かつ、小さい方の第２のしきい値Ｎ以上（Ｍ＞Ｇ≧Ｎ）の中レベルのときには、レベルＢの比較結果を出力し、合算値Ｇが第２のしきい値Ｎ未満（Ｎ＞Ｇ）の小レベルのときには、レベルＣの比較結果を出力する。
【００２４】
表示部１２は、総合電流レベル判定部１１からの比較結果がレベルＡのときは表部分１２１で、レベルＢのときは表示部分１２２で、レベルＣのときは表示部分１２３でそれぞれ表示する。この表示部１２のレベル表示により、携帯電話機のユーザは自分が設定した設定項目に対応した電流消費量の目安を知ることができる。
【００２５】
表示部１２は電流消費量表示専用の表示部を設けてもよいし、各種の表示を行うＬＣＤ画面の一部の領域に常時表示するようにしてもよい。図３は専用の表示部１２に電流消費量を表示させたときの表示例を示す。図３では、上記のレベルＡは「大」、レベルＢは「中」、レベルＣは「小」として表示されるが、ここでは「中」であることが表示されている。
【００２６】
本実施の形態によれば、レベルＡが表示されたときには、電流消費量が大であることがわかるので、使用時間が短いと感じている場合は、より電流消費量を少なくするように適切な機能設定に変更することができる。また、レベルＣが表示されているときには、電流消費量が小であることがわかるので、他の機能の設定を追加したり、既に設定している機能でも電流値の大きな設定項目に変更することも可能である。
【００２７】
また、本実施の形態では、着信音を大きくしたり、バックライト照明を明るくすると、電流の消費量が増え、その結果、電池の消耗が早いということは、限られた一部分の人しか認識していないが、このことを広く知らしめることができる。また、本実施の形態では、従来より知られている電池の残量表示も併せて行っており、電池の消費が早い理由を上記の電流消費量の表示から類推することができる。
【００２８】
なお、総合電流レベル判定部１１は、図２以外の他の機能が設定されたときも、その設定項目に対応した電流レベル値が入力されて合算動作を行うことは勿論である。
【００２９】
なお、本発明は上記の実施の形態に限定されるものではなく、例えば、電流値とレベル値の関係は表１に限定されるものではない。また、総合電流レベル判定部１１において、合算値Ｇと比較するしきい値はＭ、Ｎの２つとしたが、これに限定されるものではなく、３つ以上のしきい値を設けてもよい。３つ以上のしきい値を設定した場合は、より細かな電流消費量の表示ができ、例えば図４や図５に示すような棒グラフ表示も可能である。図４は「小」、「中」、「大」の間の中間レベルも表示する例であり、図５は６段階の電流消費量の設定を行う例である。更に、本発明は携帯電話機以外の電池（バッテリ）を動作電源とする他の携帯型通信機器にも適用可能である。また、本発明は、複数の機能のうち一の項目のみ設定可能な機能を有する携帯型通信端末にも適用可能である。
【００３０】
【発明の効果】
以上説明したように、本発明によれば、複数の機能のうち設定された項目に対応した消費電流の電流レベル値の合算値を、複数の互いに異なるしきい値と大小比較して得られた比較判定結果を表示することにより、同じ機能を設定しても設定された項目によって変化する消費電流の概略値を表示できるようにしたため、電池残量に応じた各種機能の設定項目の最適な設定ができる。
【００３１】
また、本発明によれば、単純に消費電流の合算値を表示するのではなく、複数の互いに異なるしきい値と大小比較して得られた比較判定結果を表示することにより、ユーザに分かり易い表示ができるため、消費電流量の大小判断が迅速にできる。
【００３２】
更に、本発明によれば、着信音を大きくしたり、バックライト照明を明るくすると電流の消費量が増え、その結果電池の消耗が早いという、限られた一部分の人しか認識していないことを、一般ユーザに広く知らせることができる。
【図面の簡単な説明】
【図１】本発明の要部の一実施の形態のブロック図である。
【図２】本発明の一実施の形態の動作説明図である。
【図３】本発明の一実施の形態における表示部の表示例を示す図である。
【図４】本発明における表示部の他の表示例を示す図である。
【図５】本発明における表示部の更に他の表示例を示す図である。
【符号の説明】
１  着信音量設定
２  着信音設定
３  メール呼び出し時間設定
４  ＬＣＤバックライト照明輝度設定
５  キーバックライト照明輝度設定
６〜１０  電流レベル値
１１  総合電流レベル判定部
１２  表示部
【図１】
0003914805.tif 000003
【図２】
0003914805.tif 000004
【図３】
0003914805.tif 000005
【図４】
0003914805.tif 000006
【図５】
0003914805.tif 000007